(57)【要約】【課題】複数種の異なる形状のライトガイドコネクターを各々のライトガイドコネクターの端面にランプの光を確実に当てるようにすることができる内視鏡光源装置を提供する。【解決手段】内視鏡光源装置は、複数種の異なる形状のライトガイドコネクターのための接続口を有し、該接続口に接続された前記ライトガイドコネクターの端部に光源からの光を当てる内視鏡光源装置において、前記接続口に接続された前記ライトガイドコネクターの外形寸法を測定する複数の測定手段と、前記測定手段の測定信号に基づいて、前記ライトガイドコネクターの形状に一致するように保持するための複数の押圧部材を制御する制御手段とを有する。【選択図】図３
2005152369.tif 000002
【特許請求の範囲】
【請求項１】
複数種の異なる形状のライトガイドコネクターのための接続口を有し、該接続口に接続された前記ライトガイドコネクターの端部に光源からの光を当てる内視鏡光源装置において、
前記接続口に接続された前記ライトガイドコネクターの外形寸法を測定する複数の測定手段と、
前記測定手段の測定信号に基づいて、前記ライトガイドコネクターの形状に一致するように保持するための複数の押圧部材を制御する制御手段とを有することを特徴とする内視鏡光源装置。
【請求項２】
さらに、前記接続口に接続された前記ライトガイドコネクターと前記光源との間に設けられた複数のフィルタを有するフィルタ手段と、
前記複数のフィルタの中から選択されたフィルタを、前記光源から前記ライトガイドコネクターの端部への光路中に移動させるように前記フィルタ手段の位置を制御するフィルタ位置制御手段とを有することを特徴とする請求項１に記載の内視鏡光源装置。
【請求項３】
前記押圧部材は、異なる形状のライトガイドコネクターの形状に応じて保持する負荷量を制御するための圧力検出器を有することを特徴とする請求項１または請求項２に記載の内視鏡光源装置。
【発明の詳細な説明】
【技術分野】
【０００１】
本発明は、内視鏡光源装置に関し、特に、複数種の異なる形状のライトガイドコネクターのための接続口を有する内視鏡光源装置に関する。
【背景技術】
【０００２】
内視鏡装置に利用される光源装置には、内視鏡のライトガイドコネクターが接続されるが、複数種類の形状の異なるライトガイドコネクターが光源装置に接続される場合がある。
【０００３】
複数種の異なる形状のライトガイドコネクターが光源装置に接続される場合であって、新たに異なる形状のライトガイドコネクターを接続するとき、接続口内においてその形状に対応した形状が必要となる。そのため、光源装置に、複数種のライトガイドコネクターに各々対応した内部形状を有する複数の接続口を設けたり、各形状に対応した別途アダプターを用意することがある（例えば、特許文献１参照）。そのアダプターは、ライトガイドコネクターをしっかりと光源装置に対して固定し、光ファイバの先端にランプからの光を確実に当てるためである。
【特許文献１】特開２００１−１２５０１０号公報
【発明の開示】
【発明が解決しようとする課題】
【０００４】
しかし、複数種の異なる形状のライトガイドコネクターが光源装置に接続される場合に、そのようなアダプターを用意しておくこと、さらに、新たに形状の異なるライトガイドコネクターを接続する度に、適合するアダプターを接続することは、ユーザにとっては煩雑である。
【０００５】
本発明は、このような課題に鑑みてなされたものであり、複数種の異なる形状のライトガイドコネクターが光源装置に接続される場合に、従来のようなアダプターを用意することなく、各種ライトガイドコネクターのライトガイドの端面にランプの光を確実に当てるようにすることができる内視鏡光源装置を提供することを目的とする。
【課題を解決するための手段】
【０００６】
本発明の内視鏡光源装置は、複数種の異なる形状のライトガイドコネクターのための接続口を有し、該接続口に接続された前記ライトガイドコネクターの端部に光源からの光を当てる内視鏡光源装置において、前記接続口に接続された前記ライトガイドコネクターの外形寸法を測定する複数の測定手段と、前記測定手段の測定信号に基づいて、前記ライトガイドコネクターの形状に一致するように保持するための複数の押圧部材を制御する制御手段とを有する。
【発明の効果】
【０００７】
以上説明したように、本発明に係る内視鏡光源装置によれば、複数種の異なる形状のライトガイドコネクターを各々のライトガイドコネクターに対応したアダプターを設ける必要がなく、各種ライトガイドコネクターのライトガイドの端面にランプの光を確実に当てるようにすることができる内視鏡光源装置を提供する。
【発明を実施するための最良の形態】
【０００８】
（第１の実施の形態）  
図１から図６は、第１の実施の形態を説明するための図である。  
図１は、内視鏡装置の構成例を示す構成図である。内視鏡装置１は、内視鏡２と、光源装置３と、カメラコントロールユニット（以下、ＣＣＵと略す）４と、表示手段としてのモニタ５とを主要部として構成されている。内視鏡２は、スコープ６と、ＣＣＤ（Charge Coupled Device）等の固体撮像装置（図示せず）を有するカメラヘッド７と、ライトガイド８を含んで構成されている。光源装置３は、光源としてのランプ９と、絞り装置１０と、ランプ９の光量を調整するために絞り装置１０を制御する調光回路１１とを有する。ライトガイド８の先端には、ライトガイドコネクター８ａが設けられている。
【０００９】
ランプ９の出射光は、ライトガイドコネクター８ａの端面に当たって、絞り装置１０、ライトガイド８及びスコープ６を通して被写体１２を照明する。被写体１２からの反射光は、スコープ６を介して、カメラヘッド７内のＣＣＤによって電気信号に変換され、ＣＣＵ４において信号処理された後、モニタ５へ映像信号が伝送されることによって、被写体１２の映像がモニタ５の画面上に表示され、術者等が被写体１２を観察できる様になっている。調光回路１１は、モニタ５に表示される被写体１２の映像の明るさを調整して、被写体１２の映像の明るさが一定となるように、絞り装置１０を制御する。
【００１０】
図２は、複数種の異なる形状のライトガイドコネクター８ａの例を示す図である。ライトガイド８の基端側には、ライトガイドコネクター８ａが設けられているが、図２に示すように、メーカ、種類等によって、ライトガイドコネクター８ａの先端部の形状は、各部分において外径及び長さが異なっている。
【００１１】
ライトガイド３の先端部は、光源装置３の接続口３ａに、図１に示すように、カプラ等を介して固定され、図３に示すように、ライトガイド３の先端のライトガイドコネクター８ａが、ライトガイドコネクター８ａの接続部（以下、ライトガイドコネクター接続部という）３ｂに導入される。
【００１２】
図３は、光源装置３のライトガイドコネクター接続部３ｂの主として検出器部分の構成を示す構成図である。ライトガイドコネクター接続部３ｂは、ライトガイドコネクター８ａの外形寸法を測定するための形状測定手段としての複数の検出器を有する。各検出器は、例えば、赤外線を利用した距離検出器であり、ライトガイドコネクター８ａの軸方向に沿って、３つ並んで設けられており、その３つの検出器の組（以下、検出器セットともいう）が、複数設けられている。図３においては、３つの距離検出器２１、２２、２３を含む検出器セット２４、２５が、上下２つ設けられている。
【００１３】
３つの距離検出器は、それぞれ、根元部検出器２１、中間部検出器２２、及び先端部検出器２３であり、ライトガイドコネクター接続部３ｂの内部に設けられている。根元部検出器２１は、ライトガイドコネクター８ａの根元側の寸法を測定し、中間部検出器２２は、ライトガイドコネクター８ａの中間部の寸法を測定し、先端部検出器２３は、ライトガイドコネクター８ａの先端部の寸法を測定するためのものである。また、これら３つの検出器は、それぞれライトガイドコネクター８ａを保持するための押圧部材２６の内部あるいは表面に一体に設けられている。
【００１４】
３つの検出器は、ライトガイドコネクター８ａの根元部、中間部及び先端部に対応した位置に設けられているので、各ライトガイドコネクターの各部の径を測定するだけでなく、全体の長さも判別することができる。例えば、接続されたライトガイドコネクターについて、先端部検出器２３がその径を測定できないときは、先端部検出器２３の位置に対応する位置までの長さを、接続されたライトガイドコネクターが有さないということも判別できる。
【００１５】
さらに押圧部材２６には、ライトガイドコネクター８ａに対する保持力、すなわちライトガイドコネクター８ａを保持するための力を発生するアクチュエータとしての押圧可動部２７が連結している。各押圧可動部２７は、固定部材２８に固定されている。各検出器と各押圧可動部は、接続制御部２９に信号線を介して接続されている。ライトガイドコネクター８ａまでの距離を計測するために各検出器から出力され受信される信号３０と、押圧可動部２７の駆動信号３１は接続制御部２９から供給され制御される。
【００１６】
制御手段としての接続制御部２９は、ＣＰＵ等の処理装置と、データを記憶するためのメモリ等を有する。メモリには、各ライトガイドコネクターの外径寸法データがストアされている。各データは、各ライトガイドコネクターに対応する、３つのデータである根元部、中間部及び先端部の寸法データを有する。
【００１７】
図４は、主としてフィルタと集光レンズ部分の構成を示すライトガイドコネクター接続部３ｂの構成図である。フィルタ手段である主ターレット４１と副ターレット４２は、接続口に接続されたライトガイドコネクター８ａと光源ランプ９との間に設けられている。ランプ９から発せられた光束４９は、様々な特性をもつ複数のフィルタが設けられた主ターレット４１と副ターレット４２を通過し、その後、集光レンズ４２ａによって集光され、ライトガイドコネクター接続部３ｂによって保持されたライトガイドコネクター８ａの端部へ入射する。各フィルタは、光源装置３が、特殊光観察用光源装置として利用される場合に用いられる。
【００１８】
図５と図６は、主ターレット４１と副ターレット４２の切替え時の動作を説明するための図である。図５は、主ターレット４１と副ターレット４２の切替え時の動作を説明するための構成図である。図６は、主ターレット４１と副ターレット４２の複数のフィルタの構成を示す図である。円盤状の回転部材である主ターレット４１と副ターレット４２の外周には同一の形状を持つ歯があり、これらの歯と連動して各ターレットを個別に回転させる選択ギヤ４３が設けられている。選択ギヤ４３の一端にはモータ４４が、他端には検知用突起部４５が設けられている。さらに、モータ４４には主ターレット４１と副ターレット４２の両者を回転することができるよう選択ギヤ４３を移動させるためのアクチュエータとしてのギヤ移動部４６が連結している。よって、各ターレットの歯と選択ギヤ４３の歯が噛合して回転することによって、フィルタの位置を移動する移動手段が形成される。
【００１９】
また、この選択ギヤ４３の位置を検出するために、検知用突起部４５が当たったことを検出するための切替検知部４７が設けられている。モータ４４、ギヤ移動部４６及び切替検知部４７は、信号線を介して切替制御部４８に接続されている。フィルタ位置制御手段である切替制御部４８は、後述するように、指示されたフィルタを介して集光レンズ４２ａへ光を与えるために、切替検知部４７からの検出信号に基づいて、モータ４４とギヤ移動部４６を制御する。切替制御部４８は、切替検知部４７の切換検知信号とモータ２３の回転数の信号に基づいて、選択しているフィルタを光源装置３のフロントパネルの表示器（図示せず）に表示するための表示信号を出力する。なお、切替制御部４８は、物理的に、接続制御部２９と同一のハードウエアを利用してもよい。
【００２０】
次に、ライトガイドコネクター接続部３ｂの動作について説明する。  
光源装置３に、ライトガイド８の先端部を接続口３ａに接続すると、光源装置３のライトガイドコネクター接続部３ｂ内にライトガイドコネクター８ａが挿入される。
【００２１】
ライトガイドコネクター接続部３ｂ内にライトガイドコネクター８ａが挿入されると、図示しないスイッチ等が押されることによって、接続制御部２９からの制御信号に基づいて、ライトガイドコネクター接続部３ｂ内の各検出器セットの根元部検出器２１、中間部検出器２２、及び先端部検出器２３から赤外線の信号が発せられる。接続制御部２９は、各検出器からライトガイドコネクター８ａまでの距離を反射光が戻るまでの時間を測定することによって、ライトガイドコネクター８ａの外形寸法を検出する。
【００２２】
各検出器セットの各検出器からの検出された３つの信号は、接続制御部２９へ送られ、接続制御部２９は、信号条件に合うライトガイドコネクター８ａのメーカー及び種類を識別する。すなわち、接続制御部２９は、各検出器からの信号に基づいて、３つの寸法である根元部、中間部及び先端部の寸法を算出し、次に算出された寸法とメモリに記憶されている寸法データに基づいて、その算出された寸法に合致したライトガイドコネクター８ａを特定する。
【００２３】
ライトガイドコネクター８ａが特定されると、接続制御部２９は、ライトガイドコネクター８ａの形状に応じて、各押圧部材２６がライトガイドコネクター８ａに向かって突出するように、各押圧可動部２７の突出量を制御する。その結果、図４に示すように、各押圧可動部２７は、各押圧部材２６によって、ライトガイドコネクター８ａを保持するように押圧する。言い換えると、接続制御部２９が、押圧可動部２７へ押圧制御信号を出力して、特定したライトガイドコネクター８ａの形状に一致するように、複数ある押圧部材２６を各々移動させることによって、ライトガイドコネクター８ａは保持される。
【００２４】
ライトガイドコネクター８ａが保持されると、図４に示すように、ランプ９から発せられた光束４９は主ターレット４１に設けられたフィルタと副ターレット４２に設けられたフィルタを通過し集光レンズ４２ａによってライトガイドコネクター８ａの先端部へ確実に入射する。
【００２５】
また、ユーザがフロントパネル（図示せず）の選択スイッチ（図示せず）を押して、使用するフィルタを選択すると、切替制御部４８は、選択されたフィルタを選択するように、例えばステッピングモータなどのモータ４４に信号を送り選択ギヤ４３を回転させる。選択ギヤ４３と連動して主ターレット４１が回転し、主ターレット４１に設けられた特定のフィルタ５０が光束４９の光路中に位置するまで回転させる。すなわち、切替制御部４８は、歯を有する選択ギヤ４３の回転を制御することによって、選択されたフィルタを光路中に移動させるように、フィルタ位置の制御を行う。
【００２６】
次に、切替制御部４８は、副ターレット４２の特定のフィルタ５０を選択するために、例えばソレノイド等によってモータ４４を移動可能なギヤ移動部４６を制御して、副ターレット４２の外周に設けられた歯に噛合う位置まで選択ギヤ４３を移動させる。
【００２７】
切替制御部４８は、選択ギヤ４３を移動後、主ターレット４１の場合と同様に、モータ４４を回転させ、副ターレット４２を回転させ、選択したフィルタ５０を光束４９の光路中に位置するまで回転させる。その結果、ユーザが選択した、各ターレット上のフィルタ５０を介した光束４９は、集光レンズ４２ａによってライトガイドコネクター８ａの端部に集光される。
【００２８】
なお、図３においては、検出器セット２４，２５と対応する押圧部材セットが２つ示されているが、略円筒状のライトガイドコネクター８ａであるので、３方向以上、すなわちライトガイドコネクター８ａの軸方向に直交する平面内において、その軸周りに等しい間隔で、３方向以上から、ライトガイドコネクター８ａを支えるのが望ましい。
【００２９】
さらに、押圧部材２６及び押圧可動部材２７は、ライトガイドコネクター８ａの形状に合わせた位置まで移動させなくても、圧力検出器などを用いて、ライトガイドコネクター８ａを押圧、すなわち保持する力を制御するようにしても良い。
【００３０】
また、１つの検出器セットに対応する押圧部材２６の配置数量は、図３及び図４では５つであるが、保持するライトガイドコネクター８ａに対応した数量を設ければよく、特にその数量は上述した数に限定されるものではない。
【００３１】
以上のように、上述した構成によれば、光源装置は、複数種の異なる形状のライトガイドコネクターの外径寸法、及び長さを、光源装置の出力コネクター内部に数箇所設けた検出器から発する赤外線による反射光を利用して測定する構成としている。また、検出した外径及び長さの条件により、異なる形状のライトガイドコネクターに一致するような接続口の形状を、複数の押圧部材により光源装置内に形成することによって、複数の押圧部材がライトガイドコネクターを保持するようにした。よって、異なる形状のライトガイドコネクターを光源装置に接続しても、接続後、ライトガイドコネクターの形状を検出し、ライトガイドコネクターの形状に応じて自動的にライトガイドコネクターを保持することができる。
【００３２】
従って、第１の実施の形態によれば、複数種の異なる形状のライトガイドコネクターが光源装置に接続される場合に、従来のように、光源装置に、複数種のライトガイドコネクターに各々対応した複数の接続口を設けたり、あるいは、各々のライトガイドコネクターに対応したアダプターを用意することなく、各種ライトガイドコネクターのライトガイドの端面にランプの光を確実に当てるようにすることができる。
【００３３】
また、第１の実施の形態によれば、各ライトガイドコネクターの形状を自動的に検出するため、ユーザが形状の異なるライトガイドを間違えて光源装置の接続口に接続することがなくなる。さらに、接続可能なライトガイドコネクターの種類を増やすことも容易になる。使用するフィルタも複数種のフィルタの中から選択でき、かつ２つのターレットを１つの選択ギヤで全て切替えて制御することができる。よって、様々な特殊光に応じた光源装置を複数台用意する必要がなくなる。
【００３４】
（第２の実施の形態）
図７と図８は、第２の実施の形態を説明するための図である。図７と図８において、第１の実施の形態と同じ構成要素については、同一の符号を付し説明は省略する。  
図７は、光源装置３のライトガイドコネクター接続部３ｂの主として検出器部分の構成を示す構成図である。図７に示す構成は、第１の実施の形態と略同様の構成であるが、押圧部材２６による、ライトガイドコネクター８ａを保持する力を制御するための圧力検出器５１が設けられている点が異なる。
【００３５】
図８は、主ターレット５２と副ターレット４２の切替え時の動作を説明するための構成図である。図８に示すように、主ターレット５２は、複数のフィルタ５０が直線状に一列に配置され、一側面に選択ギヤ４３と同形状の歯が設けられた長板状部材である。主ターレット５２の歯も選択ギヤ４３と噛み合うようになっている。従って、選択ギヤ４３は、各ターレットの歯と噛み合うようになっており、これらの歯と連動して各ターレットを個別に回転させることができる。すなわち、図８では、２つのターレットの一方が、円盤状であり、他方が長板状である。
【００３６】
次に、第２の実施の形態に係るライトガイドコネクター接続部３ｂ'の動作について説明する。  
ライトガイド８の先端部を光源装置３の接続口３ａに接続すると、光源装置３のライトガイドコネクター接続部３ｂ'内にライトガイドコネクター８ａが挿入される。
【００３７】
ライトガイドコネクター接続部３ｂ'内にライトガイドコネクター８ａが挿入されると、第１の実施の形態と同様に、外形寸法を測定することによってライトガイドコネクター８ａの形状の検出が行われる。
【００３８】
ライトガイドコネクター８ａの形状が検出されると、ライトガイドコネクター８ａの種類等が判別される。その後、ライトガイドコネクター８ａを確実に保持するために、押圧部材２６の保持面に設けられた圧力検出器５１の検出値に基づいて、接続制御部２９は、ラトガイドコネクター８ａが外れない負荷量としての設定値になるように、押圧可動部２７の押圧量である負荷量を制御する。すなわち、接続制御部２９は、圧力検出器５１の検出信号に応じて、押圧可動部２７を制御して、押圧部材２６を押す力である負荷量を制御する。なお、設定値は、接続制御部２９内のメモリに予め設定されて記憶されている。
【００３９】
また、圧力検出器５１はライトガイドコネクター８ａを光源装置３から取り外すときは根元部検出器２１、中間部検出器２２もしくは先端部検出器２３が常時外形寸法の測定を行っているので、ライトガイドコネクター８ａが光源装置３から引抜かれると３つの検出器の検出信号が変化して、その結果として、形状情報が変化するため、接続制御部２９は、予め記憶している形状情報と一致しないことを判断する。よって、接続制御部２９はライトガイドコネクター８ａが外されたことを検知することができる。
【００４０】
その後、接続制御部２９は、押圧可動部材２７の負荷量をゼロにするように制御することによって、押圧部材２６がライトガイドコネクター８ａから離れるので、ユーザはライトガイドコネクター８ａを取り外すことができる。
【００４１】
なお、上述した構成は、第１の実施の形態の主ターレット１９もしくは副ターレット２０の代わりに光源装置１０内の空間が取れない場合に、片側に設けられた歯と連動して、上下に稼動するようにしたので、装置を小型化できるというメリットがある。なお、図８のように、主ターレット５２を上下に移動させるのではなく、左右方向に可動するような構成としても良い。
【００４２】
以上のように、本実施の形態によれば、第１の実施の形態の効果に加えて、ライトガイドコネクター８ａを保持する負荷量を制御することによって、確実にライトガイドコネクター８ａを接続することができ、ライトガイドコネクター１４の破損を防止することができる。
【００４３】
また、２つの円盤状の主ターレットと副ターレットを組み入れるためのスペースが光源装置内に取れない場合は、一方を長板状のターレットにしたので、光源装置内に配置するスペースを少なくすることができる。
【００４４】
以上説明した実施の形態の構成から、次の付記項に記載の構成に特徴がある。
【００４５】
（付記項）
（付記項１）
複数種の異なる形状のライトガイドコネクターのための接続口を有し、該接続口に接続された前記ライトガイドコネクターの端部に光源からの光を当てる内視鏡光源装置において、
前記接続口に接続された前記ライトガイドコネクターの外形寸法を測定する複数の測定手段と、
前記測定手段の測定信号に基づいて、前記ライトガイドコネクターの形状に一致するように保持するための複数の押圧部材を制御する制御手段とを有することを特徴とする内視鏡光源装置。
【００４６】
（付記項２）
さらに、前記接続口に接続された前記ライトガイドコネクターと前記光源との間に設けられた複数のフィルタを有するフィルタ手段と、
前記複数のフィルタの中から選択されたフィルタを、前記光源から前記ライトガイドコネクターの端部への光路中に移動させるように前記フィルタ手段の位置を制御するフィルタ位置制御手段とを有することを特徴とする付記項１に記載の内視鏡光源装置。
【００４７】
（付記項３）
前記押圧部材は、異なる形状のライトガイドコネクターの形状に応じて保持する負荷量を制御するための圧力検出器を有することを特徴とする付記項１または付記項２に記載の内視鏡光源装置。
【００４８】
（付記項４）
前記測定手段は、赤外線を利用した距離検出器であることを特徴とする付記項１から付記項３のいずれかに記載の内視鏡光源装置。
【００４９】
（付記項５）
さらに、前記押圧部材を押圧する押圧可動部を有し、
前記制御手段は、前記圧力検出器の検出信号に応じて、前記押圧可動部を制御することによって、前記負荷量を制御することを特徴とする付記項３に記載の内視鏡光源装置。
【００５０】
（付記項６）
前記フィルタ手段は、それぞれが複数のフィルタを有する２つの手段からなり、
それぞれの手段は、円盤状の外周に設けられた歯を有する回転部材であり、
前記フィルタ位置制御手段は、歯を有するギヤの回転を制御することによって、前記２つの手段のそれぞれのフィルタを選択するように制御することを特徴とする付記項１から付記項５のいずれかに記載の内視鏡光源装置。
【００５１】
（付記項７）
前記フィルタ手段は、それぞれが複数のフィルタを有する２つの手段からなり、
一方の手段は、円盤状の外周に設けられた歯を有する回転部材であり、他方の手段は、少なくとも一側面に歯を有する長板状部材であり、
前記フィルタ位置制御手段は、歯を有するギヤの回転を制御することによって、前記２つの手段のそれぞれのフィルタを選択するように制御することを特徴とする付記項１から付記項５のいずれかに記載の内視鏡光源装置。
【００５２】
（付記項８）
光源装置との接続用として設けられた複数種の異なる形状のライトガイドコネクターを個々に適合する接続口をもち、光源出力口へ接続するための内視鏡光源装置において、
異なる形状のライトガイドコネクターの接続と同時にライトガイドコネクターの複数位置で外形寸法を測定する複数の検知手段と、
前記検知手段の検出信号の条件に応じて、ライトガイドコネクターの形状に一致するように保持することが可能な複数の押出部材と、前記検知部材は前記押圧部材と一体に構成されていること、を設けたことを特徴とする内視鏡光源装置。
【００５３】
（付記項９）
前記ライトガイドコネクター保持後、使用する光量及び波長等を選択するフィルタを複数種備え、円盤状の外周に歯を設けた２つの回転部材と、前記２つの回転部材は選択時に１つの歯を備えた選択回転部材により回転及び選択すること、を特徴とする付記項８に記載の内視鏡光源装置。
【００５４】
（付記項１０）
前記押圧部材は異なる形状のライトガイドコネクターの形状に応じて保持する負荷量を制御する圧力制御手段を有すること、を特徴とする付記項８に記載の内視鏡光源装置。
【図面の簡単な説明】
【００５５】
【図１】本発明の第１の実施の形態に係わる内視鏡装置の構成例を示す構成図である。
【図２】複数種の異なる形状のライトガイドコネクターの例を示す図である。
【図３】光源装置のライトガイドコネクター接続部の主として検出器部分の構成を示す構成図である。
【図４】主としてフィルタと集光レンズ部分の構成を示すライトガイドコネクター接続部の構成図である。
【図５】主ターレットと副ターレットの切替え時の動作を説明するための構成図である。
【図６】主ターレットと副ターレットの複数のフィルタの構成を示す図である。
【図７】本発明の第２の実施の形態に係る光源装置のライトガイドコネクター接続部の主として検出器部分の構成を示す構成図である。
【図８】主ターレットと副ターレットの切替え時の動作を説明するための構成図である。
【符号の説明】
【００５６】
１・・・内視鏡装置、２・・・内視鏡、３・・・光源装置、３ａ・・・接続口、３ｂ・・・ライトガイドコネクター接続部、４・・・ＣＣＵ、５・・・モニタ、６・・・スコープ、７・・・カメラヘッド、８・・・ライトガイド、８ａ・・・ライトガイドコネクター、９・・・ランプ、１０・・・絞り装置、１１・・・調光回路、２１，２２，２３・・・距離検出器、２４，２５・・・検出器セット、２６・・・押圧部材、２７・・・押圧可動部、２８・・・固定部材、２９・・・接続制御部、４１、４２、５２・・・ターレット、４２ａ・・・集光レンズ、４３・・・選択ギヤ、４４・・・モータ、４５・・・検知用突起部、４６・・・ギヤ移動部、４７・・・切替検知部、４８・・・切替制御部、５０・・・フィルタ
代理人    弁理士    伊  藤    進
【図１】
2005152369.tif 000003
【図２】
2005152369.tif 000004
【図３】
2005152369.tif 000005
【図４】
2005152369.tif 000006
【図５】
2005152369.tif 000007
【図６】
2005152369.tif 000008
【図７】
2005152369.tif 000009
【図８】
2005152369.tif 000010